(57)【要約】【課題】  ヒータ保持部は複数のヒータの同極同士を連結して保持するようにしたことで、トラッキングの発生が少ない安全性の高いヒータ保持を安価に可能とする。【解決手段】  本発明では、浴室の空気を吸込んで室内に吹出すための送風機と、送風機により吸込まれた空気を加熱するための、発熱素子と発熱素子の両面に配設された放熱フィンと放熱フィンに通電可能な電極とからなるヒータと、ヒータを電極側から保持するヒータ保持部とからなるヒータユニットとを備えた浴室浴室空調装置において、ヒータは、送風機から室内へに至る風路内に複数並列して配設され、ヒータ保持部は、複数のヒータの同極どうしを連結して保持した浴室空調装置。【選択図】  図２
2005214597.tif 000002
【特許請求の範囲】
【請求項１】
浴室の空気を吸込んで室内に吹出すための送風ファンと、前記送風ファンにより吸込まれた空気を加熱させるヒータユニットとを備えた浴室空調装置において、前記ヒータユニットは、商用電流を通電して加熱する発熱素子と、前記発熱素子を挟む両面に形成された放熱フィンと、前記放熱フィンに互いに異なる極性の商用電圧を印加して使用するヒータモジュールと、前記ヒータモジュールを複数並べて形成するとともに前記ヒータモジュールの両端部の一部に接触させ保持するヒータ保持部とからなり、前記ヒータ保持部は前記ヒータモジュールの同極の商用電圧が印加される前記放熱フィンにのみ接し保持することを特徴とする浴室空調装置。
【請求項２】
請求項１記載の浴室空調装置において、複数並べて形成された隣り合う前記ヒータモジュールどうしは、前記放熱フィンを当接させて同一の電極を形成したことを特徴とする浴室空調装置。
【発明の詳細な説明】
【技術分野】
【０００１】
本発明は、送風機により吸込まれた空気を加熱するためのヒータユニットを備えた浴室浴室空調装置に関する発明である。
【背景技術】
【０００２】
従来の電機温風機等に使用されている、発熱素子と前記発熱素子の両面に配設された放熱フィンと前記放熱フィンに通電可能な電極とからなるヒータを保持して固定したヒータユニットは、本体ケース内にファンの送風を案内する通風路を設け、この通風路の先端部分に支持枠が取り付けられ、支持枠の内壁に取り付けられた突起部によりヒータを収納して位置決めし、ヒータを収納した支持枠の前面およびヒータ前面に温風吹出口の後端面が圧接して取り付けられ、支持枠に設けられた突起部との間でヒータを支持枠の内に保持する構成されている。
【０００３】
また、従来のヒータを収納するための支持枠に設けれられた突起部はヒータ固定部の全周に設けられヒータ挟み込むようにして保持するようになっている。
このように従来のヒータの保持は、ヒーターを風路に固定するために、ヒータ保持部の全周に突起部を設け、突起部にヒータをのせた後、全周に突起部を設けた別部品をヒーターにさらに固定することで、ヒーターを両側の突起部にて挟み込んで固定している。（例えば、特許文献１参照。）
そのため、ヒータとヒータ保持部の間は部品の勘合のために多少のクリアランスが必要であり、そのクリアランスとなっている隙間に浴室空調装置を運転したときに風路を流れるほこりや水分が溜り易くなっている。
【０００４】
更に、ヒータユニットを浴室空調装置に配設させる場合、浴室のほこりや水分量が特に多いため、ヒータ保持部には、ほこりや水分がたまり易く、通常は通電しない部分でほこりや水分を通して通電するようになる。このように、ほこりや水分を通して通電がされることにより、ヒーターの異極間の電極が導通状態になりトラッキングが発生し、浴室空調装置の安全性が著しく低下するため、安全性確保のために配設されたヒューズが切断され故障の原因をなる等の問題があった。
また、ヒータを保持するために設けられた突起部がヒータの全周に配設されているため、ヒータを通過する風の抵抗になり圧損が増えることによりファンモータの負荷が大きくなったり、風の流れが乱れて異音等が発生する等の問題があった。
【特許文献１】実開平７−１８１６０号公報（第１図）
【発明の開示】
【発明が解決しようとする課題】
【０００５】
本発明は、上記問題を解決するためになされたもので、本発明の課題は、ヒータとヒータ保持部の間にほこりや水分が溜まってもトラッキングの発生が少ない安全性の高いヒータ保持方法を安価に実現することである。
【課題を解決するための手段】
【０００６】
上記目的を達成するために請求項１記載の発明によれば、浴室の空気を吸込んで室内に吹出すための送風ファンと、前記送風ファンにより吸込まれた空気を加熱させるヒータユニットとを備えた浴室空調装置において、前記ヒータユニットは、商用電流を通電して加熱する発熱素子と、前記発熱素子を挟む両面に形成された放熱フィンと、前記放熱フィンに互いに異なる極性の商用電圧を印加して使用するヒータモジュールと、前記ヒータモジュールを複数並べて形成するとともに前記ヒータモジュールの両端部の一部に接触させ保持するヒータ保持部とからなり、前記ヒータ保持部は前記ヒータモジュールの同極の商用電圧が印加される前記放熱フィンにのみ接し保持することとした。
【０００７】
このような構成にすることにより、万一ほこりや水分がヒータ保持部に溜まり、ほこりや水分を通して通電状態になっても、ヒータ保持部を電気的に同極どうしとしたためトラッキングの発生を防止することができ、安全性を確保することができる。
【０００８】
また、請求項２記載の発明によれば、請求項１記載の浴室空調装置において、複数並べて形成された隣り合う前記ヒータモジュールどうしは、前記放熱フィンを当接させて同一の電極を形成した。
このような構成することにより、各放熱フィン一つ一つに電極を形成する必要がなく、放熱フィンどうしが当接する箇所に電極を一つ形成すればよく、浴室空調機の小型化および経費の節減が図れる。
【発明の効果】
【０００９】
本発明によれば、ヒータユニットにおけるヒータ間のトラッキングが減少し、浴室空調機の安全性の確保および故障等を防止することができる。
【発明を実施するための最良の形態】
【００１０】
本願の発明における実施の形態を下記に説明する。
図１は、本発明の実施形態であるヒータユニットを配設した浴室空調装置の外力断面を示す断面図である。図２は、本発明のヒータユニット４を示す図である。図３は、本発明のヒータユニット４を示す図２におけるａ−ａ断面図である。
【００１１】
図１において、浴室空調装置Ａは、浴室５の天井９の一部を切欠けて形成した開口に、本体１を挿入し下方よりネジ等の締結部材で天井９へ固定させている。
また、本体１の浴室５へ開口した部分には本体１を下方から覆うように化粧カバー２が取付けられている。化粧カバー２には浴室５に連通する循環用吸気口２１および吹出口２２が開口されている。
浴室空調装置Ａの本体１の内部には、浴室５から循環用吸気口２１を通して浴室５の空気を取り入れる送風機３と、送風機３により吸込まれた空気を加熱させるヒータユニット４が配設され、加熱された空気を吹出す吹出口２２に連通させている。送風機３とヒータユニット４との間は循環風路６が形成され連通している。
また、送風機３は、ファン３１と、ファン３１を回転駆動させるモータ３２とから構成されている。
【００１２】
浴室空調装置Ａをスイッチなどにより運転起動させることで、モータ３２が駆動し、モータ３２が駆動することによって送風機３のファン３１が回転し、ファン３１が回転することによって、浴室５の空気を循環用吸気口２１から吸気し、吸気された空気は送風機３を通って、循環風路６、ヒータユニット４、吹出口２２を通って再び浴室５へ戻るようになっている。
暖房運転モードが指定された時には、ヒータユニット４に通電されるよう制御されるためヒータが発熱し、循環用吸気口２１から吸気された浴室５の空気は加熱され、吹出口２２から温風として浴室５内に吹出される。これにより浴室５内を暖房することができる。
【００１３】
図２および図３に示すヒータユニット４は、複数のヒータモジュール７と、このヒータを保持するヒータ保持部８と、電極７３，電極７４とから構成され、浴室空調装置Ａの本体１の循環風路６内の吹出口２２の近傍に、吹出口２２を塞ぐように並べられ、吹出し風路に対して垂直に配設されている。
ヒータモジュール７は、発熱素子７１と放熱フィン７２とから構成されており、１つの発熱素子７１の両面に放熱フィン７２を接着固定して形成されており、発熱素子７１の両面に配設した放熱フィン７２、放熱フィン７６には、それぞれ放熱フィン７２には電極７３が放熱フィン７６には電極７３とは異極の電極７４が通電可能に配設され、ヒータモジュール７は発熱素子７１の両面に配設した放熱フィン７２を１組として３組が、隣り合う複数のヒータモジュール７がそれぞれ当接する状態で並列構成している。
【００１４】
３組並べて形成されたヒータモジュール７の放熱フィン７６の隣りには、同一の電極とするヒータモジュール７の放熱フィン７６を当接させ、発熱素子７１を挟んで次の放熱フィン７３と、次のヒータモジュール７の放熱フィン７３とが当接させて形成するよう構成している。この当接する放熱フィン７６、７６どうしは同一の電極とし、当接する放熱フィン７３、７３どうしは放熱フィン７６とは異極の同一の電極としている。
この隣り合う放熱フィン２枚の当接部に電極を形成させることで、各放熱フィン一つ一つに電極を形成する必要がなくなり電極の数を減らすことができ、浴室空調機の小型化および経費の節減が図れる。
【００１５】
ヒータモジュール７の並列数は浴室空調装置の能力に応じて増減される。
発熱素子７１の両面の放熱フィン７２に付いている電極７３と電極７３とは異極の電極７４の両端に電圧を印加することで、発熱素子７１の両面に電圧が印加され発熱素子７１が発熱するようになる。
並列されたヒータモジュール７を保持するヒータ保持部８は、断面コの字形状の保持体８０と、保持体８０の一部から突出形成された接触部８１とからなり、図３の断面図に示すようにヒータモジュール７の放熱フィン７２の両端部分に接触部８１を接触させて、上下方向から挟み込むことでヒータモジュール７を保持している。
【００１６】
接触部８１は風路の空気の流れ方向に対してヒータの上流側と下流側に配設されている。
【００１７】
これらの構成においてヒータユニット４の発熱作用を以下で説明する。
浴室空調機Ａにおいて暖房モードまたは乾燥モードを実施するに当たり、制御部（図示せず）のスイッチが押されると、それぞれの電極７３と電極７３とは異極の電極７４の間に電圧を印加すると、電極７３からは放熱フィン７２、電極７３とは異極の電極７４からは放熱フィン７６を経て発熱素子７１の両端に電圧が印加され、これにより発熱素子７１は電極に電圧が印加されている間発熱するようになる。
また、３組並べて形成された隣合ヒータモジュール７の放熱フィン７３または放熱フィン７６にそれぞれ異極の電圧を印加させてもよい。この場合は、放熱フィン７３または放熱フィン７６の間は絶縁させておく。
【００１８】
ヒータモジュール７はヒータ保持部８によって風路の上流側と下流側から接触部８１によって挟み込んで接触して保持され、ヒータユニット４として浴室空調機内部に風の流れ方向に対して垂直方向に固定されている。
ヒータ保持部８の接触部８１は、ヒータモジュール７に直接接触しているため、ヒータモジュール７の発熱時の高温状態にも耐え得るように耐熱性が高く、また電気的に絶縁性の高い樹脂製で作られている。
接触部８１は、ヒータモジュール７の電圧印加時に電極７３とつながっている同極である放熱フィン７２の部分とのみ接触するようにしている。
これにより万一、ヒータモジュール７と接触部８１付近にほこりや水分が付着し、ほこりや水分を通じて通電状態になった場合でも、電極７３とは異極の電極７４とは接触することがないため、トラッキングを起こして浴室空調装置を故障させることがない。
【００１９】
ここで、接触部８１は風路の空気の流れ方向に対して突き出た構成となっているため、圧損が大きくなり送風機３の負荷が増えてしまうことがある。また、風路に対して突き出た構造が増えると異音が発生する原因にもなる。
そこで、接触部８１は風路の空気の流れ方向に対して同じ位置に配設することで送風機３の負荷軽減をすることができ、騒音の抑制にも効果がある。
【図面の簡単な説明】
【００２０】
【図１】本発明に係わる浴室空調装置の概略断面図である。
【図２】本発明の実施形態を示す図である。
【図３】本発明の実施形態を示すａ−ａ断面図である。
【符号の説明】
【００２１】
Ａ…浴室空調装置
１…本体
２…化粧カバー
３…送風機
４…ヒータユニット
５…浴室
６…循環風路
７…ヒータモジュール
８…ヒータ保持部
９…天井
２１…循環用吸気口
２２…吹出口
３２…モータ
３１…ファン
７１…発熱素子
７２…放熱フィン
７６…放熱フィン
７３…電極
７４…電極
８０…保持体
８１…接触部
【図１】
2005214597.tif 000003
【図２】
2005214597.tif 000004
【図３】
2005214597.tif 000005